(57)【要約】【課題】  流入口と流出口とを有する集塵ケースをハンマドリルへと保持する際に、簡単な構造で安価な構成とすることができる穿孔工具を提供すること。【解決手段】  先端工具と、モータと、該モータの回転力を前記先端工具に伝達する回転伝達手段と、前記先端工具の回転運動により発生する粉塵を集塵する集塵装置とを有する穿孔工具であって、前記集塵装置は、着脱可能な集塵ケースを有し、前記集塵ケースは、フィルタと、流入口と、流出口とを有し、前記流入口及び前記流出口はいずれも前記集塵ケースに対し同一の方向に設置したことを特徴とする穿孔工具により解決する。【選択図】  図１
2008207361.tif 000002
【特許請求の範囲】
【請求項１】
先端工具と、
モータと、
該モータの回転力を前記先端工具に伝達する回転伝達手段と、
前記先端工具の回転運動により発生する粉塵を集塵する集塵装置とを有する穿孔工具であって、
前記集塵装置は、着脱可能であり、流入口及び流出口を有する集塵ケースと、
前記流入口及び前記流出口と接合可能な接合部とを有し、
前記流入口及び前記流出口を、いずれも前記集塵ケースに対し同一の方向に設置したことを特徴とする穿孔工具。
【請求項２】
前記流入口及び前記流出口を、略同一平面上に設けたことを特徴とする請求項１記載の穿孔工具。
【請求項３】
先端工具を往復動させる打撃機構部を有し、前記同一平面は、先端工具の往復動と略平行であることを特徴とする請求項２記載の穿孔工具。
【請求項４】
前記流入口を、前記集塵ケースの上部に設けたことを特徴とする請求項１〜請求項３までのいずれか１項記載の穿孔工具。
【請求項５】
前記接合部にはシール部材を設け、該シール部材を一体部品にて形成することを特徴とする請求項１〜請求項４のいずれか１項記載の穿孔工具。
【発明の詳細な説明】
【技術分野】
【０００１】
本発明は、主にコンクリートやレンガといった石材に穿孔穴を開けるための電動モータやエンジン等で駆動される穿孔工具に関し、特に、穿孔時に発生する粉塵を集塵し、作業現場及び作業者に対する環境改善を図ることができる、集塵機構付き穿孔工具に関するものである。
【背景技術】
【０００２】
従来、コンクリートやレンガといった石材に対し穿孔穴を開けるための穿孔工具として、ドリル工具や、先端工具を回転打撃させるハンマードリルや振動ドリルが一般的に使用されている。該穿孔工具を使用して穿孔作業を行う際には粉塵が発生するため、作業者は防塵マスクや保護眼鏡等を装着していた。
上記状況を改善するため、該工具に集塵ファンを内蔵し、粉塵を吸い取る集塵機構を配設したものが用いられている。
【発明の開示】
【発明が解決しようとする課題】
【０００３】
従来の穿孔工具においては、穿孔工具と着脱可能な集塵ケースを有するものはあったが、その集塵ケースに粉塵を取り込むための流入部及び集塵ケースのフィルタで粉塵を分離した後の空気を排出するための流出部は、集塵ケースに対して同一の方向では無いものであった。そのため、集塵ケースへと空気及び粉塵が流入するの流入口と、集塵ケースから空気が流出する流出口との二つの方向に対して集塵ケースを固定しなければならないものであった。
【０００４】
また、前記流入口及び前記流出口の外周に穿孔工具と接合する接合部を有する場合、その接合部をシール部材でシールする場合には、流入口と流出口の二つのシール部材でシールしなければならないものであった。
【０００５】
また、ハンマドリルの打撃等により、ハンマドリルが打撃方向へと振動する際には、粉塵及び空気がその通路の接合部などから、集塵装置から粉塵及び空気が出ることがあるものであった。
【０００６】
本発明の目的は、簡易な係合方法により集塵ケースを穿孔工具へと固定可能な構造で、組み立て性が良い安価な穿孔工具を提供することである。
【０００７】
また、簡単にシールをすることができる、組み立て性が良い安価な穿孔工具を提供することである。
【課題を解決するための手段】
【０００８】
上記目的は、先端工具と、モータと、該モータの回転力を前記先端工具に伝達する回転伝達手段と、前記先端工具の回転運動により発生する粉塵を集塵する集塵装置とを有する穿孔工具であって、前記集塵装置は、着脱可能な集塵ケースを有し、前記集塵ケースは、フィルタと、流入口と、流出口とを有し、前記流入口及び前記流出口はいずれも前記集塵ケースに対し同一の方向に設置したことを特徴とする穿孔工具により達成される。
【発明の効果】
【０００９】
集塵ケースは、集塵ケースに空気及び粉塵を流入させる流入口と、空気を流出させる流出口とを有し、前記流入口及び前記流出口が、同一の方向にあることにより、集塵ケース１２の位置決めを集塵ハウジング８への一つの方向へのみへと行うことにより、接合させることができるものである。もしも同一の方向にないものであれば、二つの方向への位置決めをせざえなくなるものである。
【００１０】
また、前記流入口と前記流出口が略同一平面上にあることにより、集塵ケース１２の位置決めを集塵ハウジング８への一つの方向へのみへと行うことにより、より容易に接合させることができるものである。
【００１１】
また、先端工具が打撃時に往復動する場合には、被切削材から受ける反力等によりハンマドリルが振動するものであるが、シール部材でシールされている方向が、往復動の方向と略平行であるために、振動をする場合にも、シール部から粉塵を伴った空気が出ることを抑制することができるものである。
【００１２】
また、前記流入口を集塵ケースの上部に配置したことにより、作業者が集塵ケースをハンマドリルより取り外す際に、粉塵が集塵ケースより落ちることがない。
【００１３】
また、前記流入口と前記流出口がシール部材でシールされており、前記シール部材が流入口と流出口とに設けられ、それが一体部品であることにより、シール部材を簡略化し、簡単な構造で組み立て性が良い安価な穿孔工具を提供することができる。
【発明を実施するための最良の形態】
【００１４】
本発明穿孔工具の一実施形態を図１及び図２を用いて説明する。
【００１５】
図１は、本発明穿孔工具の一例であるハンマドリルの要部断面図である。
【００１６】
図１に示すように、本発明のハンマドリルは、ギヤハウジング１と、モータハウジング２と、ハンドル３と、先端工具２６を着脱可能な先端工具保持部４と、集塵機構とを備える構成をしている。
【００１７】
本実施形態のハンマドリルは、先端工具２６に対して回転力及び打撃力を伝える回転・打撃モード、回転力のみを与える回転モード、打撃力のみを与える打撃モードの少なくとも３つの動作モードを切り替え可能な構成をし、ギヤハウジング１の側部に設けられた切替部材６を回動させることによって、内部の切替機構が動作し、動作モードが切替わる構成をしている。ハンマドリルは、打撃又は回転又は打撃及び回転により、被切削材を切削し、穿孔するものであるが、その際には、ハンマドリルには、振動が発生するものである。この際、先端工具２６の往復動により、打撃運動は起きるものである。
【００１８】
ハンドル３は、一端がギヤハウジング１に、他端がモータハウジング２に接続した構成をし、電源スイッチ３ａ及び給電用の電気コード５を備えた構成をしている。
【００１９】
モータハウジング２内部には、モータ１８が設けられ、モータ１８の回転軸１９には、冷却ファン１７が回転軸１９と一体回転可能に設けられている。モータ１８が回転し冷却ファン１７が回転すると、モータハウジング２の下端（図１の下側）に取付けられたテールカバー１６の図示しない冷却風流入口を介して、冷却風がモータハウジング２内部に流入し、モータ１８が冷却される。モータ１８周囲を通過した冷却風は図示しない排出口を経て外部に排出される。
【００２０】
先端工具２６は、先端部２６ａと螺旋部２６ｂとを有している。モータ１８の回転を受け、先端工具２６は回転することにより、被切削材を切削し、穿孔する構成をしている。
【００２１】
集塵機構は、ギヤハウジング１とモータハウジング２との間に位置し、挟持される部分と、モータハウジング２と先端工具２６との間に突出する部分（図１の左側部分）とを有する集塵用ハウジング８を備える。集塵用ハウジング８は、図２に示すように、第１開口部８ａ、第２開口部８ｂ、第３開口部８ｃ及び凹部８ｄを有した構成をしている。
【００２２】
集塵用ハウジング８の内部であって、モータ１８の回転軸１９上には、回転軸１９と一体回転可能な集塵ファン１４が設けられ、モータ１８が回転し、集塵ファン１４が回転すると、第３開口部８ｃを介して集塵用ハウジング８内に空気が流入し、図示しない排出口を介して空気が外部に排出する構成をしている。
【００２３】
集塵ケース１２は、集塵用ハウジング８の凹部８ｄに係合可能な１２ａと、モータハウジング２に設けられているテールカバー１６の一部である１６ａと係合可能なラッチ部１２ｂを有した構成をしている。
【００２４】
集塵ケース１２の対角線上に、凹部８ｄと凹部１６ａ及び凸部１２ａとラッチ部１２ｂが設けられている。
【００２５】
集塵ケース１２が上述の係合部である凹部８ｄ、１６ａ、１２ａ及び１２ｂ
を介して本体に接続される。
【００２６】
このように、集塵ケース１２は、凸部１２ａ及びラッチ部１２ｂを集塵ケースの略対角線上に持つ。
【００２７】
集塵ケース１２に設けられた凸部１２ａは、集塵用ハウジング８の開口部８ｄと係合することが可能である。また、集塵ケースのラッチ部１２ｂは、凹部１６ａと係合することが可能である。また、これらの係合を外すことにより、集塵ケース１２は、ハンマドリルから着脱可能である。
【００２８】
集塵用ハウジング８の第２開口部８ｂと集塵ケース１２の第１開口部１２ｃとが接続されると共に、集塵用ハウジング８の第３開口部８ｃと集塵ケース１２の第２開口１２ｄとが接続される。集塵用ハウジング８には、シール部材２０が設けられている。集塵ケース１２の上端部と当接し、集塵ケース１２の挿入方向に伸縮変形可能な構成をしている。
【００２９】
図４に示すシール部材２０は、集塵用ハウジング８の第２開口部８ｂと集塵ケース１２の第１開口部１２ｃの外周にある接合部の隙間を埋めるものであり、集塵用ハウジング８の第３開口部８ｃと集塵ケース１２の第２開口部１２ｄの接合部の隙間を埋めるものである。ここで、集塵ケース１２の第１開口部１２ｃは、集塵ケース１２に空気及び粉塵を流入させる流入口である。また、集塵ケース１２の第２開口部１２ｄは、集塵ケース１２から空気を流出させる流出口である。シール部材２０によって、空気及び粉塵が、流入口及び流出口付近の集塵用ハウジング８と集塵ケース１２の接合部から出ることを抑制することができるものである。
【００３０】
ここで、集塵用ハウジング８の第２開口部８ｂの下方外周及び第３開口部８ｃの下方外周であり、シール部材２０と接する部分であり、また、集塵ケース１２の第１開口部１２ｃ上方外周及び第２開口部１２ｄの上方外周であり、シール部材２０と接する部分が接合部である。
【００３１】
集塵用ハウジング８の第２開口部８ｂと集塵ケース１２の第１開口部１２ｃとの接続、及び、集塵用ハウジング８の第３開口部８ｃと集塵ケース１２の第２開口部１２ｄとの接続は、前記のように、集塵ケースのラッチ部１２ｂが、テールカバーの凹部１６ａと係合することにより行われる。
【００３２】
また、集塵ケース１２の第１開口部１２ｃは、集塵ケース１２の上部に設けられている。
【００３３】
図４に示されるように、シール部材２０は、一平面上に設けられる。これによってシール部材は一体部品で形成されている。このように、図２に示すように、集塵ケース１２の第１開口部１２ｃ及び集塵ケース１２の第２開口部１２ｄをいずれも集塵ケースに対して同一の方向に設けている。また、集塵ケース１２の第１開口部１２ｃ及び集塵ケース１２の第２開口部１２ｄを略同一平面上に設けている。
【００３４】
集塵用ハウジング８の第２開口部８ｂと集塵ケース１２の第１開口部１２ｃの接続部の平面、及び、集塵用ハウジング８の第３開口部８ｃと集塵ケース１２の第２開口部１２ｄの接続部の平面が同一平面上にあるからである。
【００３５】
集塵ケース１２の内部には、集塵ケース１２に固定可能なフィルタ１３が設けられている。また、集塵ケース１２の内部には、粉塵貯蔵部２１と空気通路１５とを有する。フィルタ１３は、粉塵貯蔵部２１と空気通路１５との間にあり、空気通路１５に空気がフィルタ１３を介して流入することが可能であるが、粉塵は、フィルタに捕獲され、粉塵貯蔵部２１内に留まり、集塵される。
【００３６】
図１に示すように、支持部材３１は、モータ１８の回転軸１９の軸方向延長線が先端工具２６の軸方向延長線対して直交している状態で、先端工具２６とモータ１８の間に設けられている。
【００３７】
また、支持部材３１は、筒状部材の３１ａ、３１ｂ及び３１ｃを有する。すなわち、筒状部材である第１スライダ３１ａ、筒状部材である第２スライダ３１ｂを有している。筒状部材３１ｃは、ギアハウジング１及び集塵用ハウジング８と固着されている。筒状部材３１ｃは開口部を有しており、第２スライダ３１ｂは、筒状部材３１ｃ内部を摺動可能に支持されており、筒状部材３１ｃの開口部より突出可能に設けられている。すなわち、複数の筒状部材の径は、集塵アダプタ１０に向うに従って小径となる。第１スライダ３１ａと第２スライダ３１ｂとの間の相対的な位置関係を変更することが可能である。すなわち、第１スライダ３１ａと第２スライダ３１ｂとは、共に筒状であるため、第１スライダ３１ａ及び第２スライダ３１ｂの先端工具２６方向に対しての長さの和を変更することが可能である。
【００３８】
同様に、第２スライダ３１ｂと筒状部材３１ｃとの間の相対的な位置関係を変更することが可能である。すなわち、第２スライダ３１ｂと筒状部材３１ｃとは、共に筒状であり、第２スライダ３１ｂは、筒状部材３１ｃの内部を摺動するため、第２スライダ３１ｂ及び筒状部材３１ｃの先端工具２６方向に対しての長さの和を変更することが可能である。また、第２スライダ３１ｂは、筒状部材３１ｃの内壁によって摺動支持される。
【００３９】
これによって、支持部材３１の先端工具２６方向に対しての長さは変更が可能である。支持部材３１の先端工具２６方向に対しての長さは、第１スライダ３１ａ、第２スライダ３１ｂ及び筒状部材３１ｃの先端工具２６方向に対しての長さの和によるためである。
【００４０】
また、第１スライダ３１ａの反第２スライダ３１ｂ側には、集塵アダプタ１０が設けられており、第１スライダ３１ａと集塵アダプタ１０は固着されている。
【００４１】
また、第２スライダ３１ｂは開口部を有しており、第１スライダ３１ａは、第２スライダ３１ｂの内部を摺動可能に支持されており、第２スライダ３１ｂの開口部より突出可能に設けられる。第１スライダ３１ａ、第２スライダ３１ｂ及び筒状部材３１ｃの内部は連通した形状をしており、筒状部材３１ｃから第１スライダ３１ａまで、筒状部材３１ｃの開口部及び第２スライダ３１ｂの開口部を介して、筒状部材３１ｃから第１スライダ３１ａまで連通している。連通している内部空間には、スプリング３２が設けられ、スプリング３２の一端は筒状部材３１ｃの反開口部側の底部に当接しており、他端は、第１スライダ３１ａの反第２スライダ３１ｂ側に当接している。第１スライダ３１ａが筒状部材３１ｃから集塵アダプタ１０方向へと先端工具から離間する方向へと付勢されている。そのため、第１スライダ３１ａに固着されている集塵アダプタ１０は、先端工具から離間する方向に付勢されることになる。
【００４２】
集塵ホース１１の一端は、集塵アダプタ１０に接続される。また、集塵ホース１１の他端は、集塵用ハウジング８の第１開口部８ａに接続される。
【００４３】
集塵アダプタ１０は、先端工具２６を挿通する穴部を有する。また、その穴部には、図示しないが、先端工具２６と穴部の隙間を塞ぐためブラシが設けられている。これにより、先端工具２６と穴部から粉塵が漏れることを抑制している。
【００４４】
集塵ケース１２の構造について説明をする。
【００４５】
図５は、図３のＡ−Ａ断面図であり、集塵ケース１２の横断面図である。集塵ケース１２は、第１集塵ケースハウジング１２ｘ及び第２集塵ケースハウジング１２ｙを有する。フィルタ固定部２２は、第１集塵ケースハウジング１２ｘ及び第２集塵ケースハウジング１２ｙにより挟持されている。フィルタ１３は、図５に示すように、先端工具２６の軸方向に延びた形状をしている多数のフィルタヒダ部１３ａを有する。フィルタヒダ部１３ａの内部にある空間１３ｖは、空気通路１５と連通している。また、フィルタ１３の側端部では、フィルタ１３の一部は、フィルタ固定部２２に固着される構造をしている。図示しないが、フィルタ固定部２２は、粉塵貯蔵部２１と空気通路１５の接合部付近に略周上に位置しており、フィルタ固定部２２付近より粉塵が空気通路１５へと移動することがないように、しっかりと固着されている。
【００４６】
集塵ケース１２内部は、フィルタ１３により、二つの部分に区画される。一つが、集塵貯蔵部２１であり、もう一つが、空気通路１５である。
【００４７】
図６は、図３のＢ−Ｂ断面図であり、フィルタ１３の縦断面図になる。図６のように、フィルタヒダ部１３ａは、その上部及び下部に、フィルタヒダ部上面１３ｘ及びフィルタヒダ部下面１３ｙを有する。また、フィルタヒダ部１３ａは、フィルタヒダ部側面１３ｚを有する。
【００４８】
フィルタヒダ部側面１３ｚは一端である上端をフィルタヒダ部上面１３ｘと接続され、他端である下端をフィルタヒダ部下面１３ｙと接続される。その接続は、接着剤で行われ、上面、下面及び接着部分からは、空気が空気通路へと入ることができない構造となっている。図６において、フィルタヒダ部１３ａの内部にある空間１３ｖは、空気通路１５と連通している。また、隣合うフィルタヒダ部側面１３ｚの間には、わずかな隙間１３ｗが設けられている。すなわち、隣合うフィルタヒダ部１３ａの間には、わずかな隙間１３ｗが設けられている。
【００４９】
このように、フィルタ１３がフィルタヒダ部１３ａを有し、隣合うフィルタヒダ部１３ａの間には、わずかな隙間１３ｗが設けられているため、フィルタ１３の粉塵貯蔵部２１側での表面積が大きくなり、多くの面積で空気を空気通路１５へと移動可能になり、スムーズに空気の移動をすることができる。また、フィルタヒダ部１３ａの内部にある空間１３ｖは、空気通路１５と連通しているため、フィルタ１３内部の空気通路１５側での表面積が大きくなり、多くの面積で空気を空気通路１５へと移動可能になり、スムーズに空気の移動をすることができる。そのため、集塵効率が高くなることを可能にしている。
【００５０】
本発明のハンマドリルの動作を図１及び図２を用いて説明する。
【００５１】
本発明のハンマドリルは、電気コード５を介して給電をされる。その電気により、ハンマドリルは穿孔作業を行う。ハンドル３に設けられた電源スイッチ３ａを作業者が操作すると、モータ１８が回転駆動し、先端工具２６により穿孔作業が開始される。また、モータ１８が回転することにより、集塵ファン１４が回転し、先端工具２６による穿孔により発生した粉塵が空気と共に図１に示す矢印のように集塵アダプタ１０、集塵ホース１１、集塵用ハウジング８を介して集塵ケース１２内に流入する。
【００５２】
このモータ１８の回転により、モータ１８の回転軸１９に一体回転可能に設けられた集塵ファン１４が回転する。集塵ファン１４の回転が回転すると、図１に示す矢印の方向へ、集塵アダプタ１０より粉塵を伴った空気が移動する。その粉塵を伴った空気は、集塵アダプタ１０より集塵ホース１１へと、図１による矢印の方向のように流入する。その後、粉塵を伴った空気は、図２に示す集塵用ハウジング８の第１の開口部８ａより集塵用ハウジング８へと、図１による矢印の方向のように流入する。その後、図２に示す集塵用ハウジング８の第２開口部８ｂから、図２に示す集塵ケース１２の第１開口部１２ｃへと、図１による矢印の方向のように流入する。流入した、粉塵を伴った空気は、フィルタ１３により、空気と粉塵に分離される。その際には、粉塵を伴った空気は、図６のフィルタ上面１３ｘまたは、フィルタ下面１３ｙに衝突することもある。粉塵は、粉塵貯蔵部２１に留まり、空気は、フィルタ１３を通り、空気通路１５へ流入し、図２に示す集塵ケース１２の第２開口部１２ｄより、図２に示す集塵用ハウジング８の第３の開口部８ｃへと、図１による矢印の方向のように流入する。集塵用ハウジング８へと流入した空気は、図示しない集塵用ハウジング８に設けられた排出口を通して、外部に排出される。
【００５３】
ハンマドリルによる穿孔作業を行うときには、穿孔に従い、作業者が被切削材方向にハンマドリルを押し付けることが必要である。
【００５４】
作業者が、ハンマドリルを被切削材方向に押し付けると、ハンマドリルは、先端工具２６の先端部２６ａにより、被切削材を穿孔する。
【００５５】
図１の集塵アダプタ１０は先端工具２６の先端部よりもハンマドリル側にある。これは、穿孔が進んだために、穿孔開始時よりも、集塵アダプタ１０が、ハンマドリル側に近づいている。これは、被削材の表面付近から粉塵が発生するために、その位置に集塵アダプタ１０を位置させている。図１において、穿孔を行わない状態においては、第１スライダ３１ａが筒状部材３１ｃから集塵アダプタ１０方向へと付勢されているために、先端工具２６の先端部２６ａ付近に集塵アダプタ１０は位置するものである。
【００５６】
本願発明は、集塵アダプタ１０を、反ハンマドリル側へとスプリング３２によって付勢するものである。穿孔を進めると、ハンマドリルと被切削材の表面付近との距離が短くなるものである。その際、先端工具２６が被切削材を穿孔するために、集塵アダプタ１０は、被切断材によりハンマドリル側に押される。
【００５７】
穿孔を進める際には、ハンマドリルと被切削材との間の押し付け力により、スプリング３２は縮むため、支持部材３１の先端工具２６方向に対しての長さは短くなるものである。よって、集塵アダプタ１０は、支持部材３１により、穿孔の深さに応じた位置に位置することになる。
【００５８】
ここで、スプリング３２は、第１スライダ３１ａを反ハンマドリル側に付勢するものであるが、本願発明の実施においては、第２スライダ３１ｂを付勢していないものである。
穿孔が進んでいくと、集塵アダプタ１０は、第１スライダ３１ａと固着しているために、徐々にハンマドリル側に近づくものであり、穿孔が進んだ状態では、第２スライダ３１ｂは、自由に摺動可能となる。
【００５９】
また、穿孔が進み最も深く穿孔した状態では、第２スライダ３１ｂの反ハンマドリル側端が集塵アダプタ１０と当接する。また、筒状部材３１ｃの反ハンマドリル側端が集塵アダプタ１０と当接する。すなわち、穿孔が、螺旋部２６ｂの反先端部２６ａ側端まで進むと、支持部材３１の穿孔工具２６方向の長さは、ほぼ筒状部材３１ｃの長さとなる。
【００６０】
図２に示すように、ハンマドリルから集塵ケース１２を取り外す際には、集塵用ハウジング８とモータハウジング２に設けられている凹部１６ａとラッチ部１２ｂとの係合を外す。集塵ケース１２のラッチ部１２ｂと凹部１６ａとの係合を外すことは、図２のように、集塵ケース１２のラッチ部１２ｂと凹部１６ａとの係合力以上の外力を図２の矢印Ａの方向へと与えることによって行うことができる。それにより、集塵ケース１２は、集塵用ハウジング８の凹部８ｄに係合する集塵ケース１２の凸部１２ａを中心に回転を行う。
【００６１】
集塵ケース１２のラッチ部１２ｂと凹部１６ａとの係合を外した後は、集塵ケース１２のの凸部１２ａを集塵用ハウジング８の凹部８ｄとの係合を外すことができる。
【００６２】
本願発明の第２の実施例を図３により説明する。
【００６３】
図３は、支持部材３１にツマミ３３を設けている。ツマミ３３は、穿孔開始時の支持部材３１の一部である筒状部材３１ｃと集塵アダプタ１０との位置を調整することを可能にするものである。
【００６４】
具体的には、ツマミ３３は、筒状部材３１の軸方向と垂直な方向に摺動可能である。本実施例では、筒状部材３１ｃに雌ネジが切られており、ツマミ３３には、雄ネジが切られている。また、ツマミ３３の端部は、筒状部材３１ｃを挿通し、第２スライダ３１ｂと当接することが可能である。ツマミ３３の当接により、第２スライダ３１ｂは、筒状部材３１ｃとの相対的な位置の固定が可能であり、摺動が不可能になる。
【００６５】
図３のハンマドリルの先端工具２６は、図１及び図２の先端工具２６よりも短いものである。このような場合に、図１及び図２の長さの先端工具２６を用いた場合、図３の先端工具２６長さにおいてツマミ３３が無かった状態を考えると、穿孔が始まる前に、集塵アダプタ１０及び支持部材３１が穿孔工具２６の短い分だけハンマドリルを押し、集塵アダプタ１０を先端部２６ａ付近に位置させなければならないものである。そのため、穿孔が始まず、集塵が行われないである。
【００６６】
そのように先端工具２６が短い場合に、穿孔が始まる前にハンマドリルを押すという作業を不必要にするため、図３に示すように、支持部材３１の初期長さが、ツマミ３３により調整されている。
【００６７】
図３に示すようにツマミ３３により、第２スライダ３１ｂと筒状部材３１ｃとの相対的な位置の移動を固定し、アダプタの移動の距離が短くなっている。すなわち、ツマミ３３を設けたことにより、穿孔開始時に先端工具２６の先端部２６ａ付近に集塵アダプタ１０を位置させることが可能となっている。
【００６８】
本発明によれば、集塵アダプタのスライド量を大きく得ることができながら、集塵アダプタを本体側に位置させたとしても支持部材が出っ張るようなことが無く、長尺な先端工具での穿孔であっても集塵率が高く、且つ作業性の良い穿孔工具を提供することが可能となる。
【００６９】
以上のように、集塵アダプタが本体から離間する方向に、支持部材を付勢する付勢手段を設けることにより、穿孔作業時に集塵アダプタが被切削材に当接し、集塵アダプタが穿孔箇所付近に位置するようになるので、集塵率の高い穿孔工具を提供することができる。
【００７０】
また、支持部材の複数段の伸縮を、支持部材を複数の筒形部材で構成し、少なくとも１つの筒形部材を他の筒形部材の内壁によって摺動支持する構成とすることにより達成することで、摺動時の荷重を広範囲で支持することができ、集塵アダプタのスライドがスムーズで作業性の良い穿孔工具とすることができる。
【００７１】
更に、筒形部材の径を集塵アダプタ側に向うに従って小径となる構成とすることにより、集塵アダプタ側は摺動支持の面積が小さく、且つ本体側は摺動支持の面積が大きく、摺動時に加わる荷重に適した構成となり、長寿命な穿孔工具とすることができる。
【００７２】
また、筒形部材の内部に付勢手段を配置することによって、付勢手段が他部材に接触して変形することなどを抑制することができる。
【００７３】
また、支持部材の複数段の伸縮を、支持部材を複数の部材で構成すると共に少なくとも２部材が隣合う部材に対して摺動可能な構成とすることで達成し、少なくとも１つの部材の摺動を規制する規制手段を設けることによって、集塵アダプタのスライド量を規制することができ、例えば穿孔深さを規制することができるようになる。
【００７４】
更に、上記に加え、集塵アダプタが本体から離間する方向に、支持部材を付勢する付勢手段を設けることによって、先端工具の長さに応じて、穿孔作業開始前の、集塵アダプタが本体から離間する初期位置を変更することができ、作業性を向上させることができるようになる。
【００７５】
また、モータの軸方向延長線が先端工具の軸方向延長線に対して直交する形態とすると共に、支持部材が先端工具とモータの間に配置することにより、穿孔方向で見た大きさを小型化することができ、作業時に他部材と接触するなどの不具合を抑制することができ、作業性を向上させることができる。
【００７６】
また、本発明によれば、集塵ケースは、集塵ケースに空気及び粉塵を流入させる流入口と、空気を流出させる流出口を有し、前記流入口及び前記流出口が、同一の方向にあることにより、集塵ケース１２の位置決めを集塵用ハウジング８への一つの方向へのみへと行うことにより、接合させることができるものである。もしも同一の方向にないものであれば、二つの方向への位置決めをせざえなくなるものである。
【００７７】
また、前記流入口と前記流出口が略同一平面上にあることにより、集塵ケース１２の位置決めを集塵用ハウジング８への一つの方向へのみへと行うことにより、より容易に接合させることができるものである。
【００７８】
また、先端工具が打撃時に往復動する場合には、被切削材から受ける反力等によりハンマドリルが振動するものであるが、シール部材でシールされている方向が、往復動の方向と略平行であるために、振動をする場合にも、シール部から粉塵を伴った空気が出ることを抑制することが可能である。
【００７９】
また、前記流入口を集塵ケースの上部に配置したことにより、作業者が集塵ケースをハンマドリルより取り外す際に、粉塵が集塵ケースより落ちることがない。
【００８０】
また、前記流入口と前記流出口がシール部材でシールされており、前記シール部材が流入口と流出口とに設けられ、それが一体部品であることにより、シール部材を簡略化し、簡単な構造で組み立て性が良い安価な穿孔工具を提供することができる。
【００８１】
更に、本発明によれば、集塵ケースは穿孔工具より着脱可能であり、集塵ケースは、穿孔工具へと集塵ケースの略対角線上で保持するため、集塵ケースの対角線上に集塵ケースの重心が位置することになる。よって、穿孔工具が穿孔時に振動するときに、集塵ケースが振動をすることが少ないものである。そのため、集塵ケースが振動し、粉塵が集塵ケースからでることを抑制することができる。また、集塵ケースが振動に起因して、不意に外れることが少ない穿孔工具を提供することができる。
【００８２】
なお、本実施例においては、給電を電気コード５により行うものとしたが、蓄電池により給電を行うものであっても本願発明と同様の効果を奏するものである。
【００８３】
また、本実施例においては、筒状部材３１ｃは、ギアハウジング１及び集塵用ハウジング８と固着されている構成としたが、ギアハウジング１及び集塵用ハウジング８から取り外しが可能な構成でも良く、又は、ギアハウジング１のみ、集塵用ハウジング８のみにの何れかに固着されている構成でも、取り外しができる構成でも同様の効果を奏するものである。
【００８４】
また、本実施例においては、第２スライダ３１ｂは筒状部材３１ｃの内部を摺動し、第１スライダ３１ａは第２スライダ３１ｂの内部を摺動する構成としたが、複数段でスライドするものであれば、第２スライダ３１ｂ及び第１スライダ３１ａは、内部を摺動しておらず、例えば外部に並列に設けられ摺動する場合にも同様の効果を奏するものである。
【００８５】
また、本実施例においては、集塵ケース１２の第１開口部１２ｃ及び第２開口部１２ｄは、共に集塵ケース１２の上部にある構成としたが、同一の方向であれば、例えば、集塵ケース１２の側部に第１開口部２１ｃ及び第２開口部が設けられていても同様の効果を奏するものである。
【００８６】
また、本実施例においては、集塵ホース１１が支持部材３１とは別体に設けたが、集塵ホース１１を支持部材３１の内部に設けても同様の効果を奏するものである。
【００８７】
また、本実施例においては、集塵ケースのラッチ部１２ｂとテールカバーの凹部１６ａとの係合、及び、集塵ケース１２のの凸部１２ａを集塵用ハウジングの凹部８ｄとの係合によって、集塵ケース１２をハンマドリルに保持する構成としたが、係合部が集塵ケースの略対角線上にあるものであれば、どのような係合部を有するものであっても同様の効果を奏するものである。
【００８８】
また、本実施例においては、支持部材を筒状部材で構成したが、筒状とは、円筒だけではなく、三角形、四角形、鍵穴形状、その他の形状であっても、筒状部材の断面が略同一であるものであれば、同様の効果を奏するものである。
【図面の簡単な説明】
【００８９】
【図１】本願発明の一実施形態を示す要部断面図
【図２】本願発明の一実施形態を示す要部断面図
【図３】本願発明の他の実施形態を示す要部断面図
【図４】本願発明のシール部を示す断面図
【図５】図３のＡ−Ａ断面図
【図６】図３のＢ−Ｂ断面図
【符号の説明】
【００９０】
１  ギアハウジング
２  モータハウジング
３  ハンドル
４  先端工具保持部
５  電気コード
６  切替部材
８  集塵用ハウジング
１０  集塵アダプタ
１１  集塵ホース
１２  集塵ケース
１３  フィルタ
１４  集塵ファン
１５  空気通路
１６  テールカバー
１７  冷却ファン
１８  モータ
１９  回転軸
２０  シール部
２１  粉塵貯蔵部
２６  先端工具
３１  支持部
３２  スプリング
３３  ツマミ
【図１】
2008207361.tif 000003
【図２】
2008207361.tif 000004
【図３】
2008207361.tif 000005
【図４】
2008207361.tif 000006
【図５】
2008207361.tif 000007
【図６】
2008207361.tif 000008